【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
無線送受信機と処理装置とを含み、無線ネットワーク上で通信するための通信モジュールと、
ネットワーク装置に関連する施設に提供されるリソースを測定するための計測モジュールとを備えるネットワーク装置であって、
前記計測モジュールは、前記リソースが施設に提供されるときにパルスを生成し、前記処理装置にパルスを送信するパルス発生器を含み、
前記通信モジュールは、
前記計測モジュールの供給能力値と、前記計測モジュールのパルス発生器から受信されたパルスのパルスボリューム値とを保持し、
累積期間中に前記パルス発生器から受信したパルスを累積し、
前記累積期間が終了した後、前記累積期間の間に累積されたパルス数をしきい値パルス数と比較し、
前記しきい値パルス数は、前記計測モジュールの供給能力値、前記計測モジュールのパルスボリューム値、エラー状態及び前記累積期間の持続時間に基づいており、
前記累積期間の持続時間は読み出し期間の持続時間よりも短く、前記読み出し期間中に累積されたパルス数がリソース消費を決定し、
前記累積期間中に累積されたパルス数が前記しきい値パルス数以上であるとき、前記エラー状態を示す警報を生成し、
前記警報の生成に応答して、前記ネットワークを介して前記施設内のエラー状態を示すメッセージを中央システムに送信するように構成されるネットワーク装置。
【請求項２】
前記通信モジュールはさらに、
前記累積期間中に累積されたパルス数が前記しきい値パルス数を超えない場合には、前記累積期間中に累積されたパルス数を、前記読み出し期間中に累積されたパルス数に加算し、
前記読み出し期間が終了すると、前記ネットワークを介して中央システムに消費メッセージを送信し、
前記消費メッセージ内の消費情報は、前記読み出し期間中に累積されたパルス数に基づく請求項１に記載のネットワーク装置。
【請求項３】
前記ネットワーク装置はさらに、制限された電源を備え、
前記通信モジュールは、施設内のエラー状態を示すメッセージを中央システムに送信する前に、低電力モードを終了し、通常の電力モードに入る請求項１に記載のネットワーク装置。
【請求項４】
前記ネットワーク装置はさらに、第１の発振器及び第２の発振器を備え、
前記第１の発振器は前記第２の発振器よりも多くの電力を必要とし、
前記通信モジュールは、通常電力モード中に前記第１の発振器を使用し、低電力モード中に前記第２の発振器を使用するようにさらに構成される請求項３に記載のネットワーク装置。
【請求項５】
前記通信モジュールは、ノードでのエラー状態を示すメッセージを、前記ネットワークを介して中央システムに送信する前に、前記累積期間中に累積されたパルス数を、事前累積期間中に累積されたパルス数と比較するように構成される請求項１に記載のネットワーク装置。
【請求項６】
前記通信モジュールは、第２のシステムに前記警報を通信するようにさらに構成される請求項１に記載のネットワーク装置。
【請求項７】
施設におけるエラー状態を検出する方法であって、
計測モジュールの供給能力値及び前記計測モジュールから受信されたパルスのパルスボリューム値を保持するステップを含み、
前記計測モジュールは、前記施設に提供されるリソースを測定し、前記リソースが前記施設に提供されるときにパルスを生成し、
前記供給能力値と、前記パルスボリューム値と、累積期間の持続時間とに基づいて、エラー状態のためのしきい値パルス数を決定するステップであって、前記累積期間の持続時間は読み出し期間の持続時間よりも短く、前記読み出し期間中に累積されたパルス数がリソース消費を決定する、ステップと、
前記累積期間中に前記計測モジュールから受信されたパルスを累積するステップと、
前記累積期間が終了した後、前記累積期間中に累積されたパルス数を前記しきい値パルス数と比較するステップと、
前記累積期間中に累積されたパルス数が前記しきい値パルス数以上になると、前記エラー状態の警報を生成するステップと、
前記警報に応答して、中央システムとの通信を開始し、前記施設内の前記エラー状態を示すメッセージを前記中央システムに送信するステップとを含む施設におけるエラー状態を検出する方法。
【請求項８】
前記累積期間中に累積されたパルス数を、前記中央システムとの通信を開始する前の事前累積期間中に累積されたパルス数と比較するステップをさらに含む請求項７に記載の方法。
【請求項９】
前記累積期間中に累積されたパルス数を、前記中央システムとの通信を開始する前にエラーパターンへの事前累積期間中に累積されたパルス数と比較するステップをさらに含む請求項７に記載の方法。
【請求項１０】
前記累積期間中に累積されたパルス数が前記しきい値パルス数を超えない場合には、前記累積期間中に累積されたパルス数を、前記読み出し期間中に累積されたパルス数に加算するステップをさらに含む請求項７に記載の方法。
【請求項１１】
前記読み出し期間が終了した後、前記読み出し期間中に累積されたパルス数に基づく消費情報を含む消費メッセージを中央システムに送信するステップをさらに含み、
前記消費メッセージは、スケジュールに基づいて送信される請求項１０に記載の方法。
【請求項１２】
前記エラー状態はオープンフロー状態であるか、又は前記計測モジュールの定格容量を超えるフローに対応する請求項７に記載の方法。
【請求項１３】
施設におけるオープンフローを検出する方法であって、
計測モジュールの供給能力値、前記計測モジュールから受信されたパルスのパルスボリューム値、及びオープンフローのしきい値を保持するステップを含み、
前記計測モジュールは、前記施設に提供されるリソースを測定し、前記リソースが施設に提供されるときにパルスを生成し、
累積期間中に前記計測モジュールから受信されたパルスを累積するステップであって、前記累積期間の持続時間は読み出し期間の持続時間よりも短く、前記読み出し期間中に累積されたパルス数がリソース消費を決定する、ステップと、
前記累積期間の間に累積されたパルス数と前記供給能力値と前記パルスボリューム値とを用いて前記累積期間のフロー値を計算するステップと、
前記累積期間のフロー値を前記オープンフローのしきい値と比較するステップと、
前記累積期間のフロー値が前記オープンフローのしきい値以上であるとき、警報を生成するステップと、
前記警報を生成することに応答して、前記警報を中央システムに送信するステップとを含む施設におけるオープンフローを検出する方法。
【請求項１４】
前記計測モジュールの供給能力値及びパルスボリューム値を含むメッセージを前記中央システムから受信するステップをさらに含む請求項１３に記載の方法。
【請求項１５】
前記供給能力値及び前記パルスボリューム値を用いて前記オープンフローのしきい値を計算するステップをさらに含む請求項１３に記載の方法。
【請求項１６】
前記累積期間のフロー値を、事前累積期間のフロー値と比較するステップをさらに含む請求項１３に記載の方法。
【請求項１７】
前記累積期間のフロー値及び事前累積期間のフロー値を、誤差パターンと比較するステップをさらに含む請求項１３に記載の方法。
【請求項１８】
前記累積期間は低電力モード中に発生し、
前記方法は、
前記警報の生成に応答して、前記低電力モードを終了し、通常電力モードに入るステップをさらに含む請求項１３に記載の方法。